(57)【要約】【課題】荷を載せた荷役用パレットに着脱できると共に段積みでき、かつ、搬送途中での荷崩れを防止でき、効率よく搬送できるパレットサポートを提供する。【解決手段】各種の荷を載せるパレット２を、荷を載せた状態で他のパレット２を段積み可能にするためのパレットサポート１において、メッシュ状に形成したメッシュパネル５を展開自在に連結してパレット２の周囲を覆うためのメッシュ枠体３を形成し、メッシュ枠体３にメッシュ状のトップパネル４を設け、パレット２を覆うメッシュ枠体３の下部にパレット２のフォーク差し込み穴２ａに対応してフォーク穴１６を形成したものである。【選択図】図１
2015209218.tif 000002
【特許請求の範囲】
【請求項１】
各種の荷を載せる荷役用パレットを、荷を載せた状態で他の荷役用パレットを段積み可能にするためのパレットサポートにおいて、
メッシュ状に形成したメッシュパネルを展開自在に連結して荷役用パレットの周囲を覆うためのメッシュ枠体を形成し、そのメッシュ枠体にメッシュ状のトップパネルを設け、前記荷役用パレットを覆うメッシュ枠体の下部に、前記荷役用パレットのフォーク差し込み穴に対応してフォーク穴を形成したことを特徴とするパレットサポート。
【請求項２】
前記メッシュパネルは、金属棒で四角形状に形成した外周部材と、その外周部材に金属棒をメッシュ状に設けたメッシュ部材とを備え、
二枚の前記メッシュパネルの外周部材同士を開閉自在に結束部材で連結して分割メッシュ枠体を形成し、その分割メッシュ枠体の開放端側に、他の分割メッシュ枠体と相互に着脱自在に締結するための締結部材を設けた請求項１に記載のパレットサポート。
【請求項３】
前記トップパネルは、金属棒で四角形状に形成した外周部材と、その外周部材に金属棒をメッシュ状に設けたメッシュ部材とを備え、そのトップパネルの下面には、前記メッシュ枠体の上縁に嵌合する嵌合フレームが形成される請求項１に記載のパレットサポート。
【請求項４】
前記結束部材は、鋼材を螺旋状に形成した螺旋体からなり、該螺旋体が、隣接する前記外周部材同士に巻き掛けられて前記メッシュパネル同士を連結する請求項２に記載のパレットサポート。
【請求項５】
前記締結部材は、締結すべき一方のメッシュパネルに設けられ他方のメッシュパネルの網目に挿通される受けリングと、前記他方のメッシュパネルにスライド可能に設けられ前記受けリングに挿通される閂とを備える請求項２又は４に記載のパレットサポート。
【請求項６】
前記メッシュ枠体のフォーク穴には、そのフォーク穴の一側から前記フォーク差し込み穴に向かって突出する係合爪が設けられる請求項１から５のいずれかに記載のパレットサポート。
【請求項７】
前記トップパネルには、上積みされる他の荷役用パレットのメッシュ枠体の位置ずれを規制するための上段位置決め爪が設けられた請求項１から６のいずれかに記載のパレットサポート。
【発明の詳細な説明】
【技術分野】
【０００１】
本発明は、各種の荷を載せる荷役用パレットを、荷を載せた状態で他の荷役用パレットに段積み可能にするためのパレットサポートに関する。
【背景技術】
【０００２】
荷を載せた荷役用パレット（一貫輸送用平パレット：以下、単にパレットという）を段積み可能にするための器具としては、ネスティングラックやパレットサポート等が知られている。
【０００３】
ネスティングラックは、段積み可能なラックであり、パレットを取り出し可能に載置できるようになっている。
【０００４】
また、パレットサポートとしては、パレットの隅部に設けられる複数本の柱と、これら柱を連結する複数の梁とで構成されるものが知られている。このパレットサポートは、柱上に他のパレットを積み上げられるようになっている。
【先行技術文献】
【特許文献】
【０００５】
【特許文献１】特開２００７−２０４１２６号公報
【発明の概要】
【発明が解決しようとする課題】
【０００６】
ところで、荷をパレットごと搬送するとき、ネスティングラックはパレットと分離され、搬送途中での荷崩れを防止することはできないため、パレット上の荷にストレッチフィルムやバンドを巻き付ける必要があり、煩雑であった。
【０００７】
また、上述のパレットサポートは、パレットと一体に移動できるものの、トラック搬送途中での荷崩れを確実に防止することはできなかった。また、上述のパレットサポートには、荷が積まれた状態のパレットに取り付けられないタイプと、取り付けられるタイプとがあるが、取り付けられないタイプは、荷を積み直さなければならず、効率が悪いという課題があった。また、取り付けられるタイプは、パレットの外側にはみ出してしまうため、トラックの荷台上に２列で載置することができず、効率よく搬送できないという課題があった。
【０００８】
そこで、本発明の目的は、上記課題を解決し、荷を載せた荷役用パレットに着脱できると共に段積みでき、かつ、搬送途中での荷崩れを防止でき、効率よく搬送できるパレットサポートを提供することにある。
【課題を解決するための手段】
【０００９】
上述の目的を達成するため、本発明は、各種の荷を載せる荷役用パレットを、荷を載せた状態で他の荷役用パレットを段積み可能にするためのパレットサポートにおいて、メッシュ状に形成したメッシュパネルを展開自在に連結して荷役用パレットの周囲を覆うためのメッシュ枠体を形成し、そのメッシュ枠体にメッシュ状のトップパネルを設け、前記荷役用パレットを覆うメッシュ枠体の下部に、前記荷役用パレットのフォーク差し込み穴に対応してフォーク穴を形成したものである。
【発明の効果】
【００１０】
本発明のパレットサポートによれば、荷を載せた荷役用パレットに着脱できると共に段積みでき、かつ、搬送途中での荷崩れを防止でき、効率よく搬送できるる。
【図面の簡単な説明】
【００１１】
【図１】本発明の一実施の形態に係るパレットサポートの展開斜視図である。
【図２】パレットとパレットサポートとが係合する部分の拡大斜視図である。
【図３】パレットサポートの頂部拡大斜視図である。
【図４】パレットサポートの分割部分の拡大斜視図である。
【図５】パレットサポートの折り曲げ可能部分の拡大斜視図である。
【発明を実施するための形態】
【００１２】
以下、本発明の好適な実施の形態を添付図面にしたがって説明する。
【００１３】
図１に示すように、パレットサポート１は、荷役用パレット２の周囲を覆うためのメッシュ枠体３と、メッシュ枠体３上に設けられるメッシュ状のトップパネル４とを備える。
【００１４】
メッシュ枠体３は、メッシュ状に形成されたメッシュパネル５を展開自在に連結してなる。具体的には、メッシュ枠体３は、一対の分割メッシュ枠体６に分割可能に形成されている。
【００１５】
図１及び図５に示すように、分割メッシュ枠体６は、二枚のメッシュパネル５を結束部材７で開閉自在に連結してなる。各メッシュパネル５は、金属棒で四角形状に形成された側面外周部材８と、側面外周部材８に金属棒がメッシュ状に設けられてなる側面メッシュ部材９とを備える。特に、側面外周部材８の上縁は、同じ高さで平行に延びる二本の金属棒８ａと、これら金属棒８ａ間に配置される側面メッシュ部材９の金属棒９ａとで形成されており、側面外周部材８の他の部分より幅広に形成されている。側面外周部材８及び側面メッシュ部材９を構成する金属棒８ａ、９ａは、直径３ｍｍから８ｍｍ程度の鉄製の棒材からなる。金属棒同士は、互いに当接する位置にて溶接される。また、結束部材７は、鋼材を螺旋状に形成した螺旋体７ａからなり、隣接する側面外周部材８同士に巻き掛けられることでメッシュパネル５同士を開閉自在に連結する。
【００１６】
図１、図３及び図４に示すように、分割メッシュ枠体６の開放端側には、他の分割メッシュ枠体６と相互に着脱自在に締結するための締結部材１０が設けられている。締結部材１０は、締結すべき一方の分割メッシュ枠体６のメッシュパネル５に設けられ他方の分割メッシュ枠体６のメッシュパネル５の網目に挿通される受けリング１１と、他方の分割メッシュ枠体６のメッシュパネル５にスライド可能に設けられ受けリング１１に挿通される閂１２とを備える。
【００１７】
受けリング１１は、金属棒を屈曲形成してなり、側面外周部材８より外方に突出されている。
【００１８】
閂１２は、水平方向に直線状に延びる断面円形の棒材からなる閂本体１３と、閂本体に設けられ閂本体の位置をロックするためのロック部１４とを備える。閂本体１３は、メッシュパネル５の外面側に延長方向にスライド可能、かつ、中心軸回りに回動可能に設けられている。ロック部１４は、略コ字状に屈曲形成された金属棒からなり、両端部が閂本体１３からメッシュパネル５側に突出するように閂本体１３の外周面に溶接されている。ロック部１４は、閂本体１３が中心軸回りに回動されることでメッシュパネル５の網目に挿抜されるようになっている。具体的には、ロック部１４は、両端部がメッシュパネル５の網目から抜かれたとき閂本体１３の軸方向の移動を許容し（ロック解除）、両端部がメッシュパネル５の網目に挿入されたとき、閂本体１３の軸方向の移動をロックするようになっている。また、両端部とは反対側のロック部１４には、ロック部１４を操作するためのハンドル１５が形成されている。
【００１９】
締結部材１０は、分割メッシュ枠体６に上下方向に複数（本実施の形態では３つ）設けられており、上下の複数の位置で分割メッシュ枠体６同士を締結するようになっている。
【００２０】
図１及び図２に示すように、パレット２を覆うメッシュ枠体３の下部には、パレット２のフォーク差し込み穴２ａに対応してフォーク穴１６が形成されている。フォーク穴１６は、フォーク差し込み穴２ａより大きく形成されており、メッシュ枠体３に囲まれたパレット２にフォークリフトのフォーク（図示せず）を容易に差し込めるようになっている。具体的には、フォーク穴１６は、各メッシュパネル５の下部に左右に離間して一対形成されており、四方にフォーク差し込み穴２ａが形成されたプラスチックパレットに対応できるようになっている。
【００２１】
また、メッシュ枠体３のフォーク穴１６には、フォーク穴１６の一側からフォーク差し込み穴２ａに向かって突出する係合爪１７が設けられる。係合爪１７は、金属棒を屈曲形成してなり、メッシュ枠体３の内側に延びる。また、係合爪１７は、各メッシュパネル５に形成された左右一対のフォーク穴１６のうち、左側のフォーク穴１６の左端にそれぞれ設けられる。これにより、メッシュ枠体３がパレット２に取り付けられたとき、パレット２を囲むそれぞれのメッシュパネル５が係合爪１７を介してパレット２と係合されると共に、メッシュ枠体３を構成する分割メッシュ枠体６が二つ折りに折り畳まれたとき、それぞれのメッシュパネル５の係合爪１７同士が干渉しないようになっている。係合爪１７が各フォーク差し込み穴２ａに挿入・係合されることにより、メッシュ枠体３がパレット２と一体化されるようになっている。これにより、メッシュ枠体３を取り付けたパレット２の取り回しが容易になると共に、パレット２が補強されるようになっている。
【００２２】
また、メッシュ枠体３を構成する一対の分割メッシュ枠体６は同じものとなっており、任意の分割メッシュ枠体６を組み合わせることで容易にメッシュ枠体３を形成できるようになっている。
【００２３】
図１及び図３に示すように、トップパネル４は、金属棒で四角形状に形成された頂面外周部材１８と、頂面外周部材１８に金属棒がメッシュ状に設けられてなる頂面メッシュ部材１９と、頂面外周部材１８の下面に設けられメッシュ枠体３の上縁と嵌合する嵌合フレーム２０とを備える。
【００２４】
頂面外周部材１８及び頂面メッシュ部材１９を構成する金属棒には、側面外周部材８及び側面メッシュ部材９を構成する金属棒と同じものが用いられている。
【００２５】
嵌合フレーム２０は、直線状に形成されると共に断面Ｕ字状に形成された溝形鋼からなり、Ｕ字の開口が下向きに設定される。嵌合フレーム２０は、メッシュ枠体３の各メッシュパネル５と嵌合するように頂面外周部材１８の４つの各辺にそれぞれ設けられている。嵌合フレーム２０は、各メッシュパネル５の上縁の長手方向中央部にのみ嵌合するように形成されており、メッシュパネル５が若干変形している場合であっても容易に嵌合でき、かつ、その変形を矯正できるようになっている。
【００２６】
間隔を隔てて隣接する嵌合フレーム２０の端部間には、嵌合フレーム２０同士を連結する補強フレーム２１が設けられている。これにより、トップパネル４の外周が環状に補強されるようになっている。
【００２７】
また、トップパネル４には、上積みされる他のパレット２用のメッシュ枠体３の位置ずれを規制するための上段位置決め爪２２が設けられている。上段位置決め爪２２は、金属棒をフック状に屈曲してなる。具体的には、上段位置決め爪２２は、トップパネル４の縁部に溶接され縁部から水平方向に延出する水平部２３と、水平部２３の先端から略直角に屈曲されて上方に延びる垂直部２４とを備える。垂直部２４の上端は金属棒をＵ字状に折り返して形成されており、誤ってパレットが乗った場合でもパレットを傷付けないようになっている。上段位置決め爪２２はトップパネル４の各辺に複数離間して設けられており、トップパネル４上に載置される他のパレット２をそのメッシュ枠体３を介して正しい位置に保持できるようになっている。
【００２８】
次に本実施の形態の作用を述べる。
【００２９】
荷を載せた状態のパレット２にパレットサポート１を取り付ける場合、パレット２の片側２辺に沿って分割メッシュ枠体６を起立させる。このとき、分割メッシュ枠体６は、メッシュパネル２枚分の重さ（約１７ｋｇ）であるため、一人で容易に取り扱うことができる。また、分割メッシュ枠体６は９０°程度の角度で開くこととなり、自立するため、容易にパレット２の側面に沿わせておくことができる。
【００３０】
この後、もう一つの分割メッシュ枠体６を他方の片側２辺に沿って起立させ、これら分割メッシュ枠体６をそれぞれの締結部材１０で相互に締結する。具体的には、締結部材１０の受けリング１１を他方の分割メッシュ枠体６の開放端の網目に挿入して貫通させ、受けリング１１側に閂１２をスライドさせて挿入し、閂１２のロック部１４がメッシュパネル５の網目に挿入されるように閂１２を回動させて閂１２の移動をロックする。
【００３１】
このとき、パレット２上の荷の一部がパレット２から若干はみ出していることもあるが、メッシュパネル５は荷と当たったとき、若干撓むことができると共に、螺旋体７ａの許容範囲内で動くことができ、荷のはみ出しを吸収することができる。
【００３２】
このようにして分割メッシュ枠体６が互いに締結されてメッシュ枠体３が形成されたら、メッシュ枠体３上にトップパネル４を載置してパレットサポート１を完成させる。具体的には、メッシュ枠体３の各辺の上にトップパネル４の嵌合フレーム２０を位置させ、嵌合フレーム２０内にメッシュ枠体３の各辺の上縁を嵌入させる。このとき、メッシュ枠体３の上縁がメッシュパネル５の撓み等により若干変形していることもあるが、嵌合フレーム２０は、メッシュ枠体３の各辺の長手方向中央部のみに嵌合するようになっているため、容易に嵌合できる。また、メッシュ枠体３の各辺の上縁に嵌合フレーム２０が嵌合することにより、メッシュ枠体３の変形を矯正することができると共に、メッシュ枠体３を補強することができる。トップパネルは、分割メッシュ枠体６より軽量（約１２ｋｇ）であるため、一人で容易に取り扱うことができる。
【００３３】
このようにしてパレットサポート１が取り付けられたパレットサポート１付きパレットを他のパレットサポート１付きパレット上に段積みする場合、まず、フォークリフトのフォークをパレット２のフォーク差し込み穴２ａに差し込み、フォークを上昇させる。パレットサポート１はパレット２の外周の４辺に圧接されると共に、係合爪１７でパレット２と係合されているため、パレット２と一体に上昇する。なお、パレットサポート１は、パレット２に上下方向に所定の遊びをもって係合されるものであってもよい。この場合、フォーク穴１６の上縁がフォーク上に載ることでパレットサポート１をパレット２と共に上昇させることができる。
【００３４】
次にフォークリフトで持ち上げたパレットサポート１付きパレットを、他のパレットサポート１付きパレットのトップパネル４上に載置する。このとき、トップパネル４の外周部には上段位置決め爪が設けられているため、上段位置決め爪が目印となり、正確な位置に容易に段積みできる。
【００３５】
また、パレットサポート１付きパレットをトラック搬送する場合、上述と同様の手順でパレットサポート１付きパレットをフォークリフトで持ち上げ、トラックの荷台上に載置する。このとき、メッシュ枠体３は金属棒を組み合わせて形成され、水平方向の寸法が十分小さく形成されているため、パレットサポート１がないパレット２をトラックの荷台上に載置した場合と同様に２列で載置でき、効率よくトラック搬送できる。また、トラックでパレットサポート１付きパレットを段積みした場合、上段位置決め爪２２が上段のパレット２をそのパレットサポート１を介して保持するため、振動等で上段のパレット２が動くことはなく、安定してトラック搬送できる。
【００３６】
また、パレット２からパレットサポート１を取り外して収納する場合、メッシュ枠体３からトップパネル４を取り外したのち、それぞれ締結部材１０の受けリング１１から閂１２を抜いてメッシュ枠体３を一対の分割メッシュ枠体６に分割し、分割メッシュ枠体６を内側に折り畳んで収納する。トップパネル４及び分割メッシュ枠体６は板状になっているため、小さなスペースで効率よく収納できる。また、分割メッシュ枠体６を折り畳むとき、重なり合うメッシュパネル５の係合爪１７同士が干渉することはなく、分割メッシュ枠体６を綺麗に折り畳むことができる。
【００３７】
このように、メッシュ状に形成したメッシュパネル５を展開自在に連結してパレット２の周囲を覆うためのメッシュ枠体３を形成し、そのメッシュ枠体３にメッシュ状のトップパネル４を設け、パレット２を覆うメッシュ枠体３の下部にパレット２のフォーク差し込み穴２ａに対応してフォーク穴１６を形成したため、荷を載せた状態のパレット２に着脱できると共に、段積みでき、搬送途中での荷崩れを防止でき、かつ、トラックの荷台に無駄なく積み込むことができ、荷を効率よく保管・搬送できる。
【００３８】
メッシュパネル５は、金属棒で四角形状に形成した側面外周部材８と、側面外周部材８に金属棒をメッシュ状に設けた側面メッシュ部材９とを備え、二枚のメッシュパネル５の側面外周部材８同士を開閉自在に結束部材７で連結して分割メッシュ枠体６を形成し、その分割メッシュ枠体６の開放端側に、他の分割メッシュ枠体６と相互に着脱自在に締結するための締結部材１０を設けるものとしたため、メッシュ枠体３の組み立て作業及びパレット２への取り付け作業を一人で容易に行うことができる。
【００３９】
トップパネル４は、金属棒で四角形状に形成した頂面外周部材１８と、その頂面外周部材１８に金属棒をメッシュ状に設けた頂面メッシュ部材１９とを備え、トップパネル４の下面には、メッシュ枠体３の上縁に嵌合する嵌合フレーム２０が形成されるものとしたため、メッシュ枠体３にトップパネル４を一人で容易に取り付けることができる。
【００４０】
結束部材７は、鋼材を螺旋状に形成した螺旋体７ａからなり、螺旋体７ａが、隣接する側面外周部材８同士に巻き掛けられてメッシュパネル５同士を連結するものとしたため、分割メッシュ枠体６を構成するメッシュパネル５同士を簡易な構造で連結できると共に遊びをもって連結でき、かつ、分割メッシュ枠体６の開閉を容易なものにできる。
【００４１】
締結部材１０は、締結すべき一方のメッシュパネル５に設けられ他方のメッシュパネル５の網目に挿通される受けリング１１と、他方のメッシュパネル５にスライド可能に設けられ受けリング１１に挿通される閂１２とを備えるものとしたため、分割メッシュ枠体６同士を簡易な構造で容易に締結できる。
【００４２】
メッシュ枠体３のフォーク穴１６には、フォーク穴１６の一側からフォーク差し込み穴２ａに向かって突出する係合爪１７が設けられるものとしたため、簡易な構造でパレット２とパレットサポート１とを一体化でき、パレット２を補強でき、パレット２の搬送を容易なものにできる。
【００４３】
トップパネル４には、上積みされる他のパレット２のメッシュ枠体３の位置ずれを規制するための上段位置決め爪２２が設けられるものとしたため、段積みした他のパレット２の水平方向の位置ずれを防止できると共に、荷を載せた状態のパレット２を容易かつ正確に段積みすることができる。
【００４４】
なお、係合爪１７は、左右のフォーク穴１６のうち左側のフォーク穴１６の縁にのみ設けられるものとしたが、右側のフォーク穴１６の縁にのみ設けるものとしてもよく、左右のフォーク穴１６の縁にそれぞれ設けるものとしてもよい。
【符号の説明】
【００４５】
１  パレットサポート
２  パレット
２ａ  フォーク差し込み穴
３  メッシュ枠体
４  トップパネル
５  メッシュパネル
１６  フォーク穴
【図１】
2015209218.tif 000003
【図２】
2015209218.tif 000004
【図３】
2015209218.tif 000005
【図４】
2015209218.tif 000006
【図５】
2015209218.tif 000007